【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
固形成型体、特に経口錠剤および／またはカプセルの包装および計量分配用の装置であって、前記装置は、成型体を貯蔵するのに適した、キャップによってシールされる容器、計量分配開口部、および成型体を容器の内側から計量分配開口部に前進させるための手段を有し、容器（５）はそれが弾性復帰力に抗してピストンのように移動できるようにハウス（１）内に構築され、計量分配開口部（３５）はハウス（１）の底部（２ａ）に設置され、装置が計量分配用に使用されないときの位置にあるとき、キャップでシールされる容器（５）の端部の反対側にある、一時に１つの成型体を放出するための開口部（２０）を有する容器（５）の端部部分は、計量分配開口部（３５）をシールすることによって開口部内に嵌合し、計量分配動作の過程では一時に１つの成型体をハウス（１）の外側に好都合に計量分配するのを可能にするように開口部が構築される装置において、ハウスが計量分配開口部（３５）を含む底部（２ａ）を有する下側ハウス部分（２）とそれに連結される上側ハウス部分（３）とから成り、下側ハウス部分の上側端部は厚くされたヘッド（３６）を含み、ヘッド（３６）の下側側面は下向きに面するトレー（３７）を含み、装置が計量分配に使用されないとき、上向きに延び、容器（５）の外側表面上に設置されるシールリング（２７）がこのトレー（３７）内に嵌合し、ヘッド（３６）は弾性力によって引き起こされる容器（５）の上向き移動を制限するように設計され、かつ所与の場合には、厚くされたヘッド（３６）の上側側面には、シールテープ（７）を取り付ける目的のために挿入されるリング（１６）を収容するための溝（３８）およびショルダ（４０）が設けられ、その部品ユニットが、キャップ（４）と容器（５）との間および下側ハウス部分（２）と上側ハウス部分（３）との間にオーバーラップ継ぎ目（１２；１５）が存在するように、湿気に対しシールされる継ぎ目で互いに連結され、一方装置が計量分配に使用されないときの装置の位置では、実際的に柔軟に変形可能な材料から作られる容器（５）の外部シールリング（２７）が、トレー（３７）内にしっかりとはまり込み、かつ容器（５）の下側端部部分のシールリップ（２１）がハウス（１）の計量分配開口部（３５）内にしっかりとはまり込むことを特徴とする、装置。
【請求項２】
容器が計量分配に使用されないとき、ハウス（１）から突起する、装置の端部部分を取り巻く脱着可能なシールテープ（７）（保証テープ）が、容器（５）のカバーを形成するキャップ（４）に取り付けられることを特徴とする、請求項１に記載の装置。
【請求項３】
ばね（２２）が容器（５）に連結され、前記ばねが、ハウス（１）に、好都合にハウス（１）の底部（２ａ）に寄り掛かり、キャップ（４）が下に圧されかつ容器（５）が移動させられるとき圧され、キャップ（４）が圧力から解放されるとき容器（５）をその当初の位置に戻すことを特徴とする、請求項１または２に記載の装置。
【請求項４】
ハウス（１）内をピストンのように移動する容器（５）が、計量分配されるべき成型体の寸法に適するように決められるチャンバ（１８）の直径より大きな直径を有する、上側容器部分（１７）から開始するチャンバ（１８）を有し、前記チャンバ（１８）は、成型体を計量分配開口部（３５）へ案内するのに適しており、装置が計量分配に使用されないとき、このチャンバ（１８）の端部部分が計量分配開口部（３５）内に嵌合することを特徴とする、請求項１から３のいずれか一項に記載の装置。
【請求項５】
実際的に柔軟に変形可能な材料から作られるシールリップ（２１）がチャンバ（１８）の底部（１９）に沿って走り、前記シールリップ（２１）が、ハウス（１）の底部（２ａ）内に構築される計量分配開口部（３５）の横方向表面に接している−好都合に接して伸びる−ことを特徴とする、請求項４に記載の装置。
【請求項６】
計量分配開口部（３５）の横方向表面が内向きに傾斜し、一方シールリップ（２１）が外向きに傾斜し、装置の部品ユニットがキャップ（４）と容器（５）との間および下側ハウス部分（２）と上側ハウス部分（３）との間にオーバーラップ継ぎ目（１２；１５）が存在するように、湿気に対しシールされる継ぎ目で互いに連結され、一方装置が計量分配に使用されないときの装置の位置では、実際的に柔軟に変形可能な材料から作られる容器（５）の外部シールリング（２７）が、トレー（３７）内にしっかりとはまり込み、かつ容器（５）の下側端部部分のシールリップ（２１）がハウス（１）の計量分配開口部（３５）内にしっかりとはまり込むことを特徴とする、請求項５に記載の装置。
【請求項７】
底部プレート（８５ｃ）の幅（ａ）が錠剤（６）などの成型体の厚さに適合する−幅は厚さより広い−チャンバ（１８）の底部プレート（８５ｃ）の内側側面が、下向きに傾斜する案内表面（２４ａ）を形成し、その続きにやはり下向きに傾斜する曲がった案内表面（３０）が、チャンバ（１８）の底部（１９）の内部表面上に作られることを特徴とする、請求項４から６のいずれか一項に記載の装置。
【請求項８】
チャンバ（１８）がハウス（１）の内部表面に面する側面で開口し、この開口部（２０）が内部ハウス表面から距離（ｃ）のところにあり、前記距離（ｃ）が計量分配すべき成型体の幅より小さいことを特徴とする、請求項７に記載の装置。
【請求項９】
チャンバ（１８）の平らな傾斜する案内表面（２４ａ）とその曲がった案内表面（３０）との間に、チャンバ（１８）の開口部（２０）に向かって好都合に水平に突起する進路変更リブ（３１）が存在し、進路変更リブ（３１）の外側端部が、ハウス（１）の壁から計量分配すべき成型体の幅を超えるある距離（ｆ）のところに設置され、開口部（２０）の下側端部の反対側に、ハウス（１）の底部から、計量分配開口部（３５）の縁部から開始する、上向きにより細くなる実際的に三角形の進路変更リブ（３４）が存在することを特徴とする、請求項４から８のいずれか一項に記載の装置。
【請求項１０】
進路変更リブ（３４）が水平進路変更リブ（３１）の高さまで好都合に延び、それらの傾斜する進路変更表面を伴って進路変更リブ（３４）がハウス（１）の壁の内部表面上に出てくることを特徴とする、請求項９に記載の装置。
【請求項１１】
チャンバ（１８）の平らな上側案内表面（２４ａ）が、より急峻な案内表面区画を有する下側の曲がった案内表面内に走り込むことを特徴とする、請求項４から１０のいずれか一項に記載の装置。
【請求項１２】
チャンバ（１８）の長手方向に対して横方向に−好都合に直角に−走る、互いに横方向に間隔のあいたプレートのようなリブ（２９）が、ハウス（１）の底部（２ａ）から上向きに、実際的に装置の長手方向幾何学的中心軸（ｘ）に平行に延び、これらのリブ（２９）と同じ線内で容器（５）の壁内に、リブ（２９）の厚さを超える幅の隙間（２８）が存在し、リブ（２９）の高さが、容器が下に圧されるときリブ（２９）が容器（５）の内側に行き、中の成型体、例えば錠剤（６）を配列させることができるように決められることを特徴とする、請求項４から１１のいずれか一項に記載の装置。
【請求項１３】
容器（５）の上側容器部分（１７）が下向きに傾斜する壁部分（４２、４３）でチャンバ（１８）に連結され、隙間（２８）が上の容器壁内に延びるように、隙間がこれらの壁部分（４３）のうちの１つ内に設置されることを特徴とする、請求項１２に記載の装置。
【請求項１４】
チャンバ（１８）を駆動するように設計され、チャンバ（１８）の横方向壁（２５ａ、２５ｂ）に平行な計量分配開口部（３５）の反対側縁部に沿って走る垂直プレート（４６ａ、４６ｂ）が好都合に、ハウス（１）の底部（２ａ）から上向きに延びることを特徴とする、請求項４から１３のいずれか一項に記載の装置。
【請求項１５】
ハウス（１）および上側容器部分（１７）が円筒状形状であり、一方計量分配開口部（３５）および計量分配開口部の中に嵌合するチャンバ（１８）が長方形の横断面を有することを特徴とする、請求項１から１４のいずれか一項に記載の装置。
【請求項１６】
装置が成型プラスチック、好都合にポリエチレンおよび／またはポリプロピレンから作られることを特徴とする、請求項１から１５のいずれか一項に記載の装置。
【請求項１７】
キャップ（４）が、好都合にシリカゲル内容物を有する、乾燥剤挿入物を含むことを特徴とする、請求項１から１６のいずれか一項に記載の装置。